(57)【要約】【課題】ブラインドを完全に閉鎖状態では勿論、半開き状態でもひとつの文字、記号または図柄となり、美観を向上できるブラインドを提供することにある。【解決手段】複数枚の帯状の羽根１３を縦方向または横方向にコードによって一定間隔に連結し、コードの操作によって羽根を全面的に重ね合わせて開放状態にしたり、前記コードの操作によって羽根を略平行状態を保って間隔を開けた状態にしたり、さらにラダーコードによって羽根を略同一平面上に回動し、互いに隣合う羽根の一部を重ねて遮蔽状態にできるブラインドにおいて、各羽根の表面に印刷エレメント２０を施して互いに隣合う羽根の一部を重ねて遮蔽状態にしたとき、各羽根に印刷された印刷エレメントの組合せによって１つもしくは複数の文字、記号または図柄２１となるように形成するとともに、遮蔽状態にしたときに重なって隠れる各羽根の表面の重ね代２２には、該羽根に印刷される印刷エレメントと連続する印刷を延長して施した。【選択図】    図３
2004300858.tif 000002
【特許請求の範囲】
【請求項１】
複数枚の帯状の羽根を縦方向または横方向にコードによって一定間隔に連結し、前記コードの操作によって前記複数枚の羽根を全面的に重ね合わせて開放状態にしたり、前記コードの操作によって前記複数枚の羽根を略平行状態を保って間隔を開けた状態にしたり、さらにラダーコードによって前記複数枚の羽根を略同一平面上に回動し、互いに隣合う羽根の一部を重ねて遮蔽状態にできるブラインドにおいて、
前記複数枚の各羽根の表面に印刷エレメントを施して互いに隣合う羽根の一部を重ねて遮蔽状態にしたとき、各羽根に印刷された印刷エレメントの組合せによって１つもしくは複数の文字、記号または図柄となるように形成するとともに、前記遮蔽状態にしたときに重なって隠れる各羽根の表面の重ね代には、該羽根に印刷される印刷エレメントと連続する印刷を延長して施したことを特徴とするブラインド。
【請求項２】
複数枚の帯状の羽根を縦方向または横方向にコードによって一定間隔に連結し、前記コードの操作によって前記複数枚の羽根を全面的に重ね合わせて開放状態にしたり、前記コードの操作によって前記複数枚の羽根を略平行状態を保って間隔を開けた状態にしたり、さらにラダーコードによって前記複数枚の羽根を略同一平面上に回動し、互いに隣合う羽根の一部を重ねて遮蔽状態にできるブラインドの印刷方法において、
前記複数枚の各羽根をその配置状態と同一の順序で互いに間隔を存して同一平面上に配置し、各羽根に予め設定された印刷エレメントを施すると同時に、前記遮蔽状態にしたときに重なって隠れる各羽根の表面の重ね代に、該羽根に印刷される印刷エレメントと連続する印刷を延長して施し、遮蔽状態にしたとき各羽根に印刷された印刷エレメントの組合せによって１つもしくは複数の文字、記号または図柄となるように形成することを特徴とするブラインドの印刷方法。
【請求項３】
請求項２の前記印刷方法は、インクジェット法、またはシルクスクリーン法であることを特徴とするブラインドの印刷方法。
【発明の詳細な説明】
【０００１】
【発明の属する技術分野】
この発明は、例えば、店舗の窓、ショーウインド、ビルの窓等の内側に設置されるブラインド及びブラインドの印刷方法に関する。
【０００２】
【従来の技術】
店舗の窓等に設置される横型ブラインドは、ヘッドボックスとボトムレールとの間に合成樹脂材料からなる複数枚の帯状の羽根が横方向に配置されている。複数枚の羽根は縦方向に伸びるコードによって一定間隔に横方向に連結し、コードの引き込み操作によってボトムレールを引き上げることにより、複数枚の羽根を全面的に重ね合わせて窓を開放状態にすることができる。また、コードの繰り出し操作によって複数枚の羽根を略平行状態を保って間隔を開けた状態にしたり、さらにラダーコードによって複数枚の羽根を略同一平面上に回動し、互いに隣合う羽根の一部を重ねて窓を遮蔽状態にできる。
【０００３】
ブラインドは、本来、日差しを遮ったり、目隠しをすることが目的であり、羽根の色は白色、水色、緑色等の一色が一般的であるが、最近ではブラインドに文字や記号あるいは図柄を印刷してブラインドによって窓を遮蔽状態にしたとき、ブラインドに施された印刷によって店名や商品名あるいは模様によって店の広告となるようなウインドサインのひとつにしている。
【０００４】
【発明が解決しようとする課題】
ブラインドの羽根に文字や記号あるいは図柄を印刷するにはインクジェット法、シルクスクリーン法等によって行っているが、ブラインドの複数枚の羽根を略同一平面上に回動し、互いに隣合う羽根の一部を重ねて遮蔽状態にしたときに、１つもしくは複数の文字、記号または図柄となるように形成している。つまり、台紙等にブラインドの複数枚の羽根を略同一平面上に並べ、互いに隣合う羽根の一部が重なった状態で、文字、記号または図柄を印刷している。
【０００５】
従って、ブラインドを遮蔽状態にしたときに重なって隠れる各羽根の表面の重ね代は、当然のことながら印刷されない。このため、ブラインドを完全に遮蔽した状態においては、ひとつの文字、記号または図柄となるが、羽根が上下または左右方向に僅かにずれても文字、記号または図柄が変形して見えるとともに、ブラインドの羽根が半開き状態のときには、羽根に印刷されている部分と印刷されていない部分の羽根の地色の部分が露出し、ひとつの文字、記号または図柄にはならず、美観を損なうという問題がある。
【０００６】
この発明は、前記事情に着目してなされたもので、その目的とするところは、ブラインドを完全に閉鎖状態では勿論、半開き状態でもひとつの文字、記号または図柄となり、美観を向上できるブラインド及びブラインドの印刷方法を提供することにある。
【０００７】
【課題を解決するための手段】
この発明は、前述した目的を達成するために、請求項１は、複数枚の帯状の羽根を縦方向または横方向にコードによって一定間隔に連結し、前記コードの操作によって前記複数枚の羽根を全面的に重ね合わせて開放状態にしたり、前記コードの操作によって前記複数枚の羽根を略平行状態を保って間隔を開けた状態にしたり、さらにラダーコードによって前記複数枚の羽根を略同一平面上に回動し、互いに隣合う羽根の一部を重ねて遮蔽状態にできるブラインドにおいて、前記複数枚の各羽根の表面に印刷エレメントを施して互いに隣合う羽根の一部を重ねて遮蔽状態にしたとき、各羽根に印刷された印刷エレメントの組合せによって１つもしくは複数の文字、記号または図柄となるように形成するとともに、前記遮蔽状態にしたときに重なって隠れる各羽根の表面の重ね代には、該羽根に印刷される印刷エレメントと連続する印刷を延長して施したことを特徴とする。
【０００８】
請求項２は、複数枚の帯状の羽根を縦方向または横方向にコードによって一定間隔に連結し、前記コードの操作によって前記複数枚の羽根を全面的に重ね合わせて開放状態にしたり、前記コードの操作によって前記複数枚の羽根を略平行状態を保って間隔を開けた状態にしたり、さらにラダーコードによって前記複数枚の羽根を略同一平面上に回動し、互いに隣合う羽根の一部を重ねて遮蔽状態にできるブラインドの印刷方法において、前記複数枚の各羽根をその配置状態と同一の順序で互いに間隔を存して同一平面上に配置し、各羽根に予め設定された印刷エレメントを施すると同時に、前記遮蔽状態にしたときに重なって隠れる各羽根の表面の重ね代に、該羽根に印刷される印刷エレメントと連続する印刷を延長して施し、遮蔽状態にしたとき各羽根に印刷された印刷エレメントの組合せによって１つもしくは複数の文字、記号または図柄となるように形成することを特徴とする。
【０００９】
請求項３は、請求項２の前記印刷方法は、インクジェット法、またはシルクスクリーン法であることを特徴とする。
【００１０】
【発明の実施の形態】
以下、この発明の実施の形態を図面に基づいて説明する。
【００１１】
図１は、例えば、店舗の窓、ショーウインド、ビルの窓等の内側に設置される一般的なブラインドを示し、１１はヘッドボックス、１２はボトムレールである。ヘッドボックス１１とボトムレール１２との間には合成樹脂材料からなる複数枚の帯状の羽根（スラット）１３が複数本の昇降コード１４によって所定間隔を存して吊り下げられている。複数枚の羽根１３の表側と裏側には昇降コード１４と平行にラダーコード１５が設けられ、このラダーコード１５の昇降によって複数枚の羽根１３を同時に回動して羽根１３の傾き角度を調整できるようになっている。
【００１２】
なお、１６はチルターであり、このチルター１６にはスーパーポール１７、グリップ１８及び昇降コード１９が設けられている。そして、ボトムレール１２を引き上げて複数枚の羽根１３を全面的に重ね合わせて開放状態にしたり、複数枚の羽根１３を略平行状態を保って間隔を開けた状態にしたり、さらに複数枚の羽根１３を略同一平面上に回動し、互いに隣合う羽根１３の一部を重ねて遮蔽状態にすることができる。
【００１３】
図２（ａ）はブラインドの遮蔽した状態の正面図、図２（ｂ）はその側面図であり、各羽根１３の表面の上縁部１３ａにはその上段の羽根１３の下縁部１３ｂが重なっており、略同一平面上に配置されている。複数枚の各羽根１３の表面には印刷エレメント２０が施され、互いに隣合う羽根１３の一部を重ねて遮蔽状態にしたとき、各羽根１３に印刷された印刷エレメント２０の組合せによってひとつ図柄２１となるように形成されている。
【００１４】
本実施形態は、図柄２１は円形であり、各羽根１３の表面には円形の図柄２１を構成する印刷エレメント２０が分割して印刷されている。さらに、ブラインドを遮蔽状態にしたときには、各羽根１３の表面の上縁部１３ａはその上段の羽根１３の下縁部１３ｂが重なって隠れる重ね代２２となる。この重ね代２２の表面には、該羽根１３に印刷される印刷エレメント２０と連続する印刷が延長して施されている。すなわち、本実施形態においては、図柄２１が円形であるため、各羽根１３の重ね代２２に施された印刷は、その上段の羽根１３の表面に施す印刷エレメント２０と同一の曲率に施されている。
【００１５】
従って、ブラインドを遮蔽したときには、各羽根１３の重ね代２２は表面に露出しないが、ラダーコード１５によって各羽根１３を傾斜させ、ブラインドを半開き状態にしたときに、重ね代２２が表面に露出する。しかし、各羽根１３の重ね代２２の表面には、該羽根１３に印刷される印刷エレメント２０と連続する印刷が延長して施されているため、ブラインドを半開き状態にした状態でも図柄２１が連続する。
【００１６】
次に、ブラインドの印刷方法について説明する。図３に示すように、台紙２３の上面に印刷しようとする複数枚の羽根１３をその配置状態と同一の順序で互いに間隔２４を存して平行に、かつ同一平面上に配置する。
【００１７】
次に、各羽根１３にマスキングを施し、各羽根１３の表面にインクジェット法またはシルクスクリーン法によって予め設定された印刷エレメント２０を施す。このとき、同時に、ブラインドを遮蔽状態にしたときに重なって隠れる各羽根１３の表面の重ね代２２にも、該羽根１３に印刷される印刷エレメント２０と連続する印刷を延長して施す。この場合、各羽根１３の相互間に間隔２４を存して台紙２３に位置しているため、台紙２３の上面にも印刷がはみ出るようにインクジェット法で印刷することにより、上下、左右方向にずれが生じても印刷されない部分が発生することはない。
【００１８】
このようにして各羽根１３に印刷エレメント２０を施した後、各羽根１３の配置状態と同一の順番に昇降コード１４によって所定間隔を存して吊り下げ、ヘッドボックス１１とボトムレール１２との間に配置することにより、図１に示すブラインドが完成する。
【００１９】
図４（ａ）はブラインドの遮蔽した状態の正面図、図４（ｂ）はその側面図であり、各羽根１３の表面の上縁部１３ａにはその上段の羽根１３の下縁部１３ｂが重なっており、略同一平面上に配置されている。複数枚の各羽根１３の表面には印刷エレメント２５が施され、互いに隣合う羽根１３の一部を重ねて遮蔽状態にしたとき、各羽根１３に印刷された印刷エレメント２５の組合せによってひとつ文字２６となるように形成されている。
【００２０】
本実施形態は、文字２６はアルファベットの「Ａ」であり、各羽根１３の表面にはアルファベットの「Ａ」の文字２６を構成する印刷エレメント２５が分割して印刷されている。さらに、ブラインドを遮蔽状態にしたときには、各羽根１３の表面の上縁部１３ａはその上段の羽根１３の下縁部１３ｂが重なって隠れる重ね代２２となる。この重ね代２２の表面には、該羽根１３に印刷される印刷エレメント２５と連続する印刷が延長して施されている。すなわち、本実施形態においては、文字２６がアルファベットの「Ａ」であるため、各羽根１３の重ね代２２に施された印刷は、その上段の羽根１３の表面に施す印刷エレメント２５と同一の印刷が施されている。
【００２１】
なお、前記実施形態においては、ブラインドの一部に図柄や文字を印刷する場合について説明したが、全体に模様を施す場合も同様であり、ブラインドに施された印刷によって店名や商品名あるいは模様によって店の広告となるようなウインドサインとなる。
【００２２】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【００２３】
【発明の効果】
以上説明したように、この発明によれば、ブラインドの羽根に印刷エレメントの組合せによって１つもしくは複数の文字、記号または図柄となるように形成するとともに、ブラインドを遮蔽状態にしたときに重なって隠れる各羽根の表面の重ね代には、該羽根に印刷される印刷エレメントと連続する印刷を延長して施したことを特徴とする。従って、ブラインドを完全に閉鎖状態では勿論、半開き状態でもひとつの文字、記号または図柄となり、美観を向上できる。
【図面の簡単な説明】
【図１】この発明の第１の実施形態を示すブラインドの斜視図。
【図２】同実施形態を示し、（ａ）はブラインドの遮蔽した状態の正面図、（ｂ）はその側面図。
【図３】同実施形態の羽根に印刷した状態を示す平面図。
【図４】この発明の第２の実施形態を示し、（ａ）はブラインドの遮蔽した状態の正面図、（ｂ）はその側面図。
【図５】同実施形態の羽根に印刷した状態を示す平面図。
【符号の説明】
１３…羽根、２０…印刷エレメント、２１…図柄、２２…重ね代
【図１】
2004300858.tif 000003
【図２】
2004300858.tif 000004
【図３】
2004300858.tif 000005
【図４】
2004300858.tif 000006
【図５】
2004300858.tif 000007